(57)【要約】【課題】単純な形状でコンパクトで、ハンドルの操作によって作用部材を垂直方向一方にスムーズに揺動できる扉用ハンドル装置とする。【解決手段】扉２に取付ける台座１０内に保持部材２０を取付け、この保持部材２０内に操作部材３０の先端部を垂直軸５０で水平方向に揺動自在に取付け、前記保持部材２０内に作用部材４０の基端部を水平軸５１で垂直方向に揺動自在に取付け、前記操作部材３０の先端部に駆動ピン５２を水平に向け片持ち支持で設け、この駆動ピン５２により作用部材４０を直接押すことで作用部材４０が垂直方向一方に揺動するようにした扉用ハンドル装置。これによって、操作部材３０の先端部、作用部材４０の基端部を単純形状として扉用ハンドル装置を単純形状でコンパクトにできるし、水平に向いた駆動ピン５２で作用部材４０を直接押して垂直方向一方にスムーズに揺動できる。【選択図】図４
2006090066.tif 000002
【特許請求の範囲】
【請求項１】
扉に取付ける台座と、この台座内に取付けた保持部材と、ハンドルと、このハンドルで操作される操作部材と、前記扉に取付けたラッチ錠を解錠する作用部材を備え、
前記操作部材の先端部が保持部材内に垂直軸で水平方向に揺動自在に取付けてあり、この操作部材の基端部が台座の表面よりも突出し、
前記作用部材の基端部が前記保持部材内に水平軸で垂直方向に揺動自在に取付けてあり、この作用部材の先端部が台座の裏面よりも突出し、
前記操作部材の先端部に駆動ピンが水平方向に向けて片持ち支持で取付けてあり、この駆動ピンが作用部材を押すことで作用部材が垂直方向一方に揺動するようにしたことを特徴とする扉用ハンドル装置。
【請求項２】
操作部材が作用部材に接することで、操作部材の最大揺動角度を規制するようにした請求項１記載の扉用ハンドル装置。
【請求項３】
駆動ピンは、作用部材の駆動用孔内に挿入され、操作部材の水平方向一方の揺動によって駆動ピンが、この駆動用孔の一方の端部を押すことで作用部材が垂直方向一方に揺動するようにした請求項１記載の扉用ハンドル装置。
【請求項４】
駆動ピンは、駆動用孔を貫通して保持部材の駆動ピン挿入孔に挿入し、
作用部材を垂直方向他方に揺動する弾性部材を設け、
前記駆動ピンが駆動用孔の一方の端部と前記駆動ピン挿入孔の他方の端部に当接して作用部材を通常位置に保持するようにした請求項３記載の扉用ハンドル装置。
【請求項５】
操作部材は保持部材内に設けられた本体部とカバー部を備え、このカバー部が台座の表面と対向して開口部を閉塞し、
このカバー部にハンドルを設けるようにした請求項１〜４いずれか１項記載の扉用ハンドル装置。
【発明の詳細な説明】
【技術分野】
【０００１】
本発明は、玄関ドア等の扉に取付けられてラッチ錠を操作する扉用ハンドル装置に関する。
【背景技術】
【０００２】
玄関ドアとしては、ドア枠に扉をヒンジで開閉自在に取付け、この扉にラッチ錠と、このラッチ錠を操作する扉用ハンドル装置を取付け、その扉用ハンドル装置でラッチ錠のラッチを作動して扉を開放するものが知られている。
かかる扉に取付ける扉用ハンドル装置が特許文献１に開示されている。
この扉用ハンドル装置は、扉に取付ける台座に保持枠のコ字状の本体部を固設し、この保持枠の本体部に操作レバーの１つの部片を垂直軸で水平方向に揺動可能に設けると共に、この保持枠の本体部に設けた一対の取付片に作用レバーを水平軸で垂直方向に揺動可能に設け、この作用レバーに設けた駆動ピンを操作レバーの他の部片に形成した長孔に挿通して連係手段とし、前記操作レバーにハンドルを取付けてある。
そして、ハンドルを持って操作レバーを垂直軸を中心として水平方向に揺動すると、その操作レバーの揺動が連係手段によって作用レバーに伝わって作用レバーが水平軸を中心として垂直方向に揺動し、扉に設けたラッチ錠のラッチを解錠方向に作動する。
【０００３】
【特許文献１】特開平１１−３００６２号公報
【発明の開示】
【発明が解決しようとする課題】
【０００４】
前述した扉用ハンドル装置は、操作レバーが１つの部片と他の部片で形成され、かつ他の部片に長孔が形成された複雑形状である。作用レバーは水平軸が挿通する部分と駆動ピンを取付ける部分を有し、かつ水平軸と駆動ピンは９０度位相がずれているから、この作用レバーも複雑形状である。
これらが相俟って、従来の扉用ハンドル装置は複雑な形状で、大型である。
また、操作レバーの他の部片に長孔が形成され、作用レバーに設けた駆動ピンを前述の長孔に挿通することで、操作レバーの水平方向の揺動で作用レバーを垂直方向に揺動していると共に、この駆動ピンと操作レバーを水平方向に揺動自在に支持する垂直軸が平行で扉厚方向に大きく位置ズレしているから、ハンドルの操作によってスムーズに作用レバーを垂直方向一方に揺動できないことがある。
【０００５】
本発明の目的は、単純な形状で、コンパクトで、しかもハンドルの操作によって作用部材をスムーズに垂直方向一方に揺動できる扉用ハンドル装置を提供することである。
【課題を解決するための手段】
【０００６】
本発明は、扉に取付ける台座と、この台座内に取付けた保持部材と、ハンドルと、このハンドルで操作される操作部材と、前記扉に取付けたラッチ錠を解錠する作用部材を備え、
前記操作部材の先端部が保持部材内に垂直軸で水平方向に揺動自在に取付けてあり、この操作部材の基端部が台座の表面よりも突出し、
前記作用部材の基端部が前記保持部材内に水平軸で垂直方向に揺動自在に取付けてあり、この作用部材の先端部が台座の裏面よりも突出し、
前記操作部材の先端部に駆動ピンが水平方向に向けて片持ち支持で取付けてあり、この駆動ピンが作用部材を押すことで作用部材が垂直方向一方に揺動するようにしたことを特徴とする扉用ハンドル装置である。
【０００７】
本発明においては、操作部材が作用部材に接することで、操作部材の最大揺動角度を規制することが好ましい。
このようにすれば、操作部材の最大揺動角度を規制するための部材を別に設ける必要がなく、部品点数が少なくコストが安いと共に、組み立て作業が容易である。
【０００８】
本発明においては、駆動ピンは、作用部材の駆動用孔内に挿入され、操作部材の水平方向一方の揺動によって駆動ピンが、この駆動用孔の一方の端部を押すことで作用部材が垂直方向一方に揺動するようにすることが好ましい。
このようにすれば、駆動ピンにより作用部材を確実に垂直方向の一方に揺動できる。
【０００９】
本発明は、駆動ピンは、駆動用孔を貫通して保持部材の駆動ピン挿入孔に挿入し、作用部材を垂直方向他方に揺動する弾性部材を設け、前記駆動ピンが駆動用孔の一方の端部と前記駆動ピン挿入孔の他方の端部に当接して作用部材を通常位置に保持することが好ましい。
このようにすれば、ハンドルを通常位置に保持できる。
【００１０】
本発明は、保持部材が台座の開口部内に設けられ、操作部材は保持部材内に設けられた本体部とカバー部を備え、このカバー部が台座の表面と対向して開口部を閉塞し、このカバー部にハンドルを設けることが好ましい。
このようにすれば、台座の開口部内に作用部材の基端部、操作部材の本体部、保持部材が設けられ、その台座の開口部がカバー部で閉塞されるので、各部材が見えることがなく見栄えが良いし、台座の開口部にゴミ等の異物が侵入することがない。
【発明の効果】
【００１１】
請求項１に係る発明によれば、ハンドルを操作して操作部材を水平方向一方に揺動することで、駆動ピンによって作用部材を垂直方向一方に揺動できる。
また、操作部材の先端部、作用部材の基端部を単純形状にできるから扉用ハンドル装置が単純形状である。
また、単純形状の操作部材の先端部、作用部材の基端部が保持部材内に設けてあるから、その保持部材を小さくして扉用ハンドル装置をコンパクトにできる。
また、操作部材に水平方向に設けた駆動ピンによって作用部材を直接押して垂直方向一方に揺動するので、ハンドルの操作によって作用部材を垂直方向一方にスムーズに揺動できる。
【発明を実施するための最良の形態】
【００１２】
図１に示すように、ドア枠１に扉２をヒンジ等で開閉自在に取付けてドアとしてある。
図２に示すように、扉２にラッチ錠３が設けてある。このラッチ錠３は、例えば本体４にラッチ５を出入り自在に設けると共に、ばね等でラッチ５を突出した施錠状態とするものである。
前記扉２の室内側面２ａと室外側面２ｂにハンドル装置６がそれぞれ取付けてある。このハンドル装置６は前記ラッチ錠３のラッチ５を本体４内に引き込んだ解錠状態とするものである。
【００１３】
この実施の形態では、ハンドル装置６は上下一対の装置本体７間に亘って長尺なハンドル８を取付けたもので、一対の装置本体７における一方の装置本体７によってラッチ錠３のラッチ５を解錠状態とする。
つまり、ハンドル８が長尺であるから、そのハンドル８の長手方向両端部を装置本体７（後述する操作レバー）にそれぞれ連結して、そのハンドル８がスムーズに安定して揺動するようにしてある。すなわち、一対の装置本体７における他方の装置本体７はラッチ錠３を操作するものではなく、ハンドル８を扉２に対して揺動可能に支持するものである。
これに限ることはなく、ハンドル８と１つの装置本体７でハンドル装置６としても良いし、ラッチ錠３を２つ設けて２つの装置本体７で操作するようにしても良い。
【００１４】
また、この実施の形態では扉２の室内側面２ａに取付けたハンドル装置６は、そのハンドル８を押すことでラッチ錠３のラッチ５を解錠状態とするようにしてあり、扉２の室外側面２ｂに取付けたハンドル装置６は、そのハンドル８を引くことでラッチ錠３のラッチ５を解錠状態とするようにしてある。つまり、プッシュプル式のハンドル装置である。
【００１５】
次に、ハンドル装置６を具体的に説明する。
図３に示すように、ハンドル装置６の装置本体７は、台座１０と、保持部材２０と、操作部材３０と、作用部材４０を備えている。
図４と図５に示すように、前記台座１０が扉２に取付けられ、この台座１０内に保持部材２０が取付けられる。
前記操作部材３０の先端部が保持部材２０内に垂直軸５０で水平方向に揺動自在に取付けられ、この操作部材３０の基端部が台座１０よりも突出してハンドル８が取付けられる。
前記作用部材４０の基端部が前記操作部材３０の先端部の左右方向（図５中Ｃ方向）一方側に隣接して保持部材２０内に水平軸５１で垂直方向に揺動自在に取付けられ、この作用部材４０の先端部は台座１０よりも突出し、かつラッチ錠３の本体４内に突出してラッチ５を解錠動作する。
前記操作部材３０の先端部と作用部材４０の基端部が保持部材２０内において左右方向に隣接することが好ましいが、両者の間に他の部材が存在しても良い。
【００１６】
前記操作部材３０の先端部に駆動ピン５２が取付けてある。
この駆動ピン５２は図５と図６に示すように水平方向に向かい、その操作部材３０の左右方向一側面３０ａから作用部材４０に向けて突出し、この駆動ピン５２は片持ち支持である。
前記操作部材３０が垂直軸５０を中心として水平方向一方に揺動すると、前述の駆動ピン５２も操作部材３０とともに水平方向一方に移動して図７と図８に示すように作用部材４０と接して作用部材４０を水平軸５１を中心として仮想線で示すように垂直方向一方に揺動する。この作用部材４０が揺動することでラッチ錠３のラッチ５を解錠状態とする。
【００１７】
このように、操作部材３０の先端部は、垂直軸５０を支持すると共に、水平方向に向かう駆動ピン５２を片持ち支持する単純形状、例えば断面矩形の棒状であるし、作用部材４０は水平軸５１を支持する単純形状、例えば板状であるから、扉用ハンドル装置が単純形状である。
また、単純形状の操作部材３０の先端部、作用部材４０の基端部が保持部材２０内に設けてあるから、保持部材２０を小さくでき、扉用ハンドル装置をコンパクトにできる。なお、操作部材３０の先端部と作用部材４０の基端部を隣接すれば、保持部材２０をより小さくできるから、よりコンパクトにできる。
【００１８】
また、駆動ピン５２は水平方向に向かい、操作部材３０の水平方向一方の揺動によって作用部材４０を直接押して垂直方向一方に揺動するので、操作部材３０の水平方向一方の揺動によって作用部材４０がスムーズに垂直方向一方に揺動し、ハンドル８の操作によって作用部材４０をスムーズに垂直方向一方に揺動できる。
【００１９】
図７と図８に仮想線で示すように、操作部材３０が所定角度揺動すると操作部材３０の先端部が作用部材４０の基端部に当接し、操作部材３０の揺動を規制している。つまり、最大揺動角度を規制している。
このように、操作部材３０と作用部材４０で操作部材３０の最大揺動角度を規制しているので、その最大揺動角度を規制する専用の部品が不要である。例えば、従来の扉用ハンドル装置では操作レバーに揺動規制用のピンを設け、このピンを保持枠の長孔に挿通し、このピンが長孔の端部に当接することで操作レバーの最大揺動角度を規制している。
【００２０】
したがって、従来のように２つのピンを用いずに１つの駆動ピンを用いれば良いから、部品点数が少なく、コストが安いと共に、組み立て作業が簡単である。
【００２１】
前記垂直軸５０と駆動ピン５２は図６、図７、図８に示すように、扉２の室内外側方向（つまり、扉２の厚さ方向）においてほぼ同一、好ましくは同一位置である。
また、前記水平軸５１は垂直軸５０、駆動ピン５２よりも扉２の厚さ方向における扉側に位置している。
【００２２】
次に、ハンドル装置６の具体形状を説明する。
図９と図１０に示すように、台座１０は表面（扉２と反対側の面）１１と裏面（扉２側の面）１２に亘って貫通した開口部１３を有し、その表面１１の開口部１３の周縁部に沿ってリング状の突起１４が一体的に設けてある。
この実施の形態では台座１０は垂直方向に長い略長円形状で、作用部材４０の垂直方向揺動スペースを確保し、左右寸法は小さくしてある。これに限ることはなく、円形、矩形などでも良い。
前記開口部１３は保持部材２０の外周形状と同様な形状で、図４と図５に示すように、前記保持部材２０は台座１０の開口部１３内に取付けてある。
【００２３】
前記保持部材２０は図６、図９、図１０に示すように、上面板２１と下面板２２と左右一側面板２３と左右他側面板２４と後面板２５で前面が開口した箱形状で、その上面板２１、下面板２２に取付片２６がそれぞれ設けてある。
前記上面板２１と下面板２２に前記垂直軸５０が挿通する孔２１ａ，２２ａが形成され、左右一側面板２３と左右他側面板２４に前記水平軸５１が挿通する孔２３ａ，２４ａが対向して形成してある。
前記後面板２５に作用部材４０が挿通する孔、例えば縦長のスリット２５ａが形成してある。
前記左右他側板２４には駆動ピン５２の径よりも大きな駆動ピン挿入孔、例えば角孔２７が形成されている。
【００２４】
前述した台座１０の貫通孔１３は、図９に示すように保持部材２０の上面、下面、左右側面が接する上下、左右内面１３ａ，１３ｂ，１３ｃ，１３ｄと、その上下内面１３ｃ，１３ｄに形成した取付片２６が嵌まり込む凹部１３ｅを有する形状で、保持部材２０を表面１１から貫通孔１３に押し込み、図４に示すように凹部１３ｅの表裏方向中間に形成した隔壁１３ｆからビス１５を取付片２６に螺合して取付ける。
このようであるから、台座１０に保持部材２０をしっかりと取付けできると共に、台座１０は保持部材２０を収容する程度の大きさにできるから、装置本体６をコンパクトにできる。
【００２５】
前記操作部材３０は、本体部３１とカバー部３２を備えている。
この本体部３１が前述した操作部材３０の先端部で、その本体部３１は棒状、好ましくは矩形断面の棒状で、その上下面に貫通した孔３３を有すると共に、駆動ピン５２が取付けてあり、その駆動ピン５２は左右方向一側面よりも突出している。
前記カバー部３２が前述した操作部材３０の基端部で、このカバー部３２は台座１０の表面１１よりも突出してハンドル８にビス３４で連結される。このカバー部３２は台座１０の開口部１３における表面１１に開口した開口の大きさよりも大きく、台座１０の表面１１と対向して台座１０の開口部１３を閉塞している。これによって台座１０の開口部１３内にゴミ等の異物が入り込まないようにしていると共に、開口部１３内が目視されないようにして外観の見栄えを良くしている。
【００２６】
前記カバー部３２の好ましい形状を説明する。
図４と図５に示すように、カバー部３２の外周縁３２ａは円弧形状に湾曲し、前記台座１０の突起１４の外周寄りに位置している。
このようにすることで、カバー部３２の外周縁３２ａが突起１４の先端よりも台座１０の表面１１寄りに位置して外周縁３２ａと突起１４が重なり合うから、前述の異物侵入をより確実に防止できる。
【００２７】
図３に示すように、扉２の室内側面２ａに取付ける装置本体７は取付金具６０を備えている。扉２の室外側面２ｂに取付ける装置本体７の台座１０に取付用ねじ杆６１が螺合される。
そして、図４に示すように取付用ねじ杆６１を扉２の室内外側面２ａ，２ｂに形成した孔６２より扉２内を貫通して台座１０に螺合し、取付金具６０からビス６３を取付用ねじ杆６１のねじ穴６１ａに螺合して台座１０を扉２の室外側面２ｂに押しつけて取付ける。
図５に示すように、扉２の室内側面２ａに取付ける装置本体７の台座１０は、ビス６４で取付金具６０に固着して取付ける。
このようにすることで、台座１０を簡単に取付けできると共に、室外側から台座１０を取り外しできないから防犯上好ましい。
【００２８】
前記作用部材４０は板状で、その基端部に孔４１と駆動用孔４２が形成してある。
前記孔４１に前記水平軸５１が挿通して作用部材４０が保持部材２０に垂直方向に揺動自在に取付けられ、この作用部材４０の先端部は保持部材２０のスリット孔２５ａを貫通して台座１０の裏面１２より突出する。
前記駆動用孔４２は駆動ピン５２の径よりも大きく、その形状は角孔、長孔、円形孔など制限されない。駆動ピン５２が駆動用孔４２に挿通する
このようであるから、図７と図８に示すように操作部材３０が垂直軸５０を中心として水平方向一方に揺動すると、駆動ピン５２が作用部材４０の駆動用孔４２の一方の端部４２ａを押し、作用部材４０は、その駆動用孔４２の一方の端部４２ａが駆動用ピン５２に対して垂直方向に滑りながら水平軸５１を中心に垂直方向一方に揺動する。
なお、駆動用ピン５２で作用部材４０の端面を押すようにしても良い。
【００２９】
前記作用部材４０は弾性部材で垂直方向他方に揺動付勢保持され、ラッチ錠３のラッチ５が常時施錠状態となるようにしてある。
例えば、図５、図６に示すように水平軸５１にコイルばね７０を設け、その一端部を保持部材２０に接し、他端部を作用部材４０（ばね受け４３）に接して作用部材４０を垂直方向他方に揺動付勢保持している。
前記駆動ピン５２は作用部材４０の駆動用孔４２を貫通して保持部材２０の角孔２７に挿入してあり、前述のように作用部材４０がコイルばね７０で垂直方向他方に揺動すると、図７、図８に示すように、その駆動用孔４２の一方の端部４２ａが駆動ピン５２に当接し、かつその駆動ピン５２が角孔２７の他方の端部２７ａに接して作用部材４０を実線で示す通常位置に保持する。
【００３０】
図５に示すように、扉２の室内側面２ａに取付けたハンドル装置６は、ハンドル８を矢印ａ方向に操作すると作用部材４０が揺動するので、ハンドル８を押すことでラッチ錠３のラッチ５を解錠状態にできる。
また、扉２の室外側面２ｂに取付けたハンドル装置６は、ハンドル８を矢印ｂ方向に操作すると作用部材４０が揺動するので、ハンドル８を引くことでラッチ錠３のラッチ５を解錠状態にできる。
前記扉２の室内側面２ａに取付けたハンドル装置６の台座１０は、その表面１１、突起１４の扉２の戸尻寄り部分が斜めとなってカバー部３２が矢印ａ方向に揺動できる角度を大きくしてある。
前記扉２の室外側面２ｂに取付けたハンドル装置６の台座１０は、その表面、突起１４の扉２の戸先寄り部分が斜めとなってカバー部３２が矢印ｂ方向に揺動できる角度を大きくしてある。
【００３１】
また、扉２の室内側面２ａ、室外側面２ｂにそれぞれ取付けたハンドル装置６は略同一構造で、ハンドル８を上下に反転して取付けてある。
このようであるから、略同一構造のハンドル装置６をハンドル８を上下反転して取付けることで、プッシュプル式のハンドル装置とすることができる。
【００３２】
以上の説明において、垂直軸５０とは垂直方向に向かう軸であるが、必ずしも正確に垂直方向に向かう必要はなく、若干ずれても良い。
また、水平軸５１も同様に水平方向に対して若干ずれても良い。
【００３３】
前述の実施の形態では、操作部材３０を作用部材４０に当接することで最大揺動角度を規制したが、操作部材３０が所定角度揺動すると駆動ピン５２が保持部材２０に当接し、操作部材３０の揺動を規制するようにしても良い。
例えば、前記駆動ピン５２は図８に示すように保持部材２０の角孔２７に突出し、作用部材４０が図８に仮想線で示す所定位置まで揺動すると駆動ピン５２が角孔２７の前述とは反対側の一方の端部２７ｂに当接して操作部材３０の最大揺動角度を規制するようにする。
また、ハンドル８をカバー部３２にビス３４で連結することでハンドル８を操作部材３０に設けたが、ハンドル８とカバー部３２を一体成形することでハンドル８を操作部材３０に設けるようにしても良い。
また、駆動ピン５２を駆動用孔４２に挿通して、その端部を押すようにしたが、横片４２に切欠凹部を形成し、その底部を駆動ピン５２で押すようにしても良い。
また、前記の実施の形態では、本体部３１とカバー部３２とを一体的に形成することで操作部材３０としているが、本体部３１とカバー部３２を別体的に形成し、それらを連結（例えば固着具などを用いて連結）することで操作部材３０を形成しても良い。
また、駆動ピン５２は操作部材３０の先端部（本体部３１）に一体的に形成しているが、これに限らず操作部材３０の先端部に駆動ピンが嵌合する孔を設け、この孔に別体の駆動ピン５２を嵌入することで、操作部材３０の先端部に駆動ピン５２を設けても良い。
【図面の簡単な説明】
【００３４】
【図１】ドアの正面図である。
【図２】扉の扉用ハンドル装置取付部分の側面図である。
【図３】扉と扉用ハンドル装置の分解斜視図である。
【図４】扉用ハンドル装置の取付状態の縦断面図である。
【図５】扉用ハンドル装置の取付状態の横断面図である。
【図６】操作部材で作用部材を揺動する部分の分解斜視図である。
【図７】動作説明用の縦断面図である。
【図８】動作説明用の横断面図である。
【図９】扉の室内側面に取付ける扉用ハンドル装置の分解斜視図である。
【図１０】扉の室外側面に取付ける扉用ハンドル装置の分解斜視図である。
【符号の説明】
【００３５】
２…扉、２ａ…室内側面、２ｂ…室外側面、３…ラッチ錠、５…ラッチ、６…扉用ハンドル装置、７…装置本体、８…ハンドル、１０…台座、１３…開口部、２０…保持部材、２７…角孔（駆動ピン挿入孔）、３０…操作部材、３１…本体部、３２…カバー部、４０…作用部材、４２…駆動用孔、５０…垂直軸、５１…水平軸、５２…駆動ピン、５３…長孔。
【図１】
2006090066.tif 000003
【図２】
2006090066.tif 000004
【図３】
2006090066.tif 000005
【図４】
2006090066.tif 000006
【図５】
2006090066.tif 000007
【図６】
2006090066.tif 000008
【図７】
2006090066.tif 000009
【図８】
2006090066.tif 000010
【図９】
2006090066.tif 000011
【図１０】
2006090066.tif 000012